(57)【要約】      （修正有）【課題】ディスクが偏って挿入されてもディスクの挿入を受入れながらその偏りを自動的に修正する、操作性の良いディスク再生機のディスク案内装置を提供する。【解決手段】回動端部にディスク当接部を有する左右の検知レバー７Ｌ，７Ｒ間に、同期回動する左右の連動部材８Ｌ，８Ｒを配置し、対応する検知レバーと連動部材の一方に長溝１１Ｌ，１１Ｒ、他方にこの長溝に嵌合する突起２２Ｌ，２２Ｒを設け、長溝の一側面の途中にはストッパ部１４Ｌ，１４Ｒを設け、一方の検知レバーがそのディスク当接部をディスクに押されて回動すると突起がストッパ部に当接して検知レバーの回動が禁止され、ディスクがその偏りを修正しながら他方の検知レバーのディスク当接部を押すことにより、一方の検知レバーの回動禁止を解除するようにした。【選択図】図２
2010176723.tif 000002
【特許請求の範囲】
【請求項１】
シャーシ（４）上に左右一対の検知レバー（７Ｌ，７Ｒ）を装着し、各検知レバーの回動端部に設けたディスク当接部（２０Ｌ，２０Ｒ）をディスク挿入口（３）に位置させ、かつ、両ディスク当接部を付勢手段（２５Ｌ，２５Ｒ）により互いに接近する方向へ付勢し、両ディスク当接部が挿入するディスク（６）に押されて離反するとき少なくとも一方の検知レバーの回動によりディスクの挿入を検知するようにしたものにおいて、
左右一対の連動部材（８Ｌ，８Ｒ）を同期回動自在に連結して前記シャーシ上に装着し、対応する検知レバーと連動部材とを、一方に設けた長溝（１１Ｌ，１１Ｒ）と、他方に設けた突起（２２Ｌ，２２Ｒ）との嵌合により連結し、各長溝の一側面（１２Ｌ，１２Ｒ）の途中にストッパ部（１４Ｌ，１４Ｒ）を設け、一方の検知レバーのディスク当接部が反付勢方向へ回動すると一方の突起が長溝の一側面に摺接してストッパ部に当接することにより一方の検知レバーの回動を禁止し、この状態で他方の検知レバーが反付勢方向へ回動すると、これに伴う一方の連動レバーの回動により一方の突起をストッパ部から外すことを特徴とするディスク再生機のディスク案内装置。
【請求項２】
前記両ディスク当接部がディスクによって反付勢方向へ均等に押されたときは、片側の突起のみ、対応するストッパ部に当接するものとし、この当接状態において反対側の検知レバーがそのディスク当接部をディスクに押されて反付勢方向へ回動することにより、両連動部材が回動して前記突起とストッパ部との当接を解除することを特徴とする請求項１に記載のディスク再生機のディスク案内装置。
【請求項３】
対応する検知レバーと連動部材との回動支点（１９Ｌと１０Ｌ，１９Ｒと１０Ｒ）間距離、並びに検知レバーの回動支点と突起との間の距離を左右同一とし、かつ、連動部材の回動支点とストッパ部との間の距離を左右で異ならせたことを特徴とする請求項２に記載のディスク再生機のディスク案内装置。
【発明の詳細な説明】
【技術分野】
【０００１】
本発明は、ディスクが左右いずれかに偏って挿入されても自動的にその偏りを修正するようにしたディスク再生機のディスク案内装置に関する。
【背景技術】
【０００２】
ディスク再生機にあっては、ディスクが左右いずれかに偏って挿入されることを防止するための工夫がなされている。
特開２００３−４５１１０号には次のような光ディスク装置が開示されている。すなわち、光ディスク装置（１）の搬送部（２）には一対のアーム（１０，１２）が、ディスクの挿脱方向に移動自在で、かつ、回動自在に設けられ、これらのアーム（１０，１２）は、各々スプリング（１０ｃ，１２ｃ）により各一端に設けたピン（１０ａ，１２ａ）の間隔を狭める方向に付勢されている。また、アーム（１０，１２）の互いに対向する位置にはそれぞれ凸状の係合部（１０ｅ）及び凹状の係合部（１２ｄ）が形成され、凸状の係合部（１０ｅ）を凹状の係合部（１２ｄ）内に位置させている。凸状の係合部（１０ｅ）はＴ字型をなし、凹状の係合部（１２ｄ）は係合部（１０ｅ）よりもディスクの挿脱方向に若干大きなサイズになっている。そこで、ディスク（１００）を挿入する際、ディスク（１００）がピン（１０ａ，１２ａ）に当接すると両係合部（１０ｅ，１２ｄ）が離れ、アーム（１０，１２）が互いに逆向きに回動してディスク（１００）を受け入れる。ところが、ディスク（１００）を左右いずれかに偏った状態で挿入しようとすると、ピン（１０ａ，１２ａ）のいずれか一方がディスク（１００）に押されて一方のアームがディスク挿入方向に移動するので、両係合部（１０ｃ，１２ｄ）が離れず、アーム（１０，１２）の回動が禁止されて、ディスク（１００）を挿入できない状態となる。これによって、ディスク（１００）が偏って挿入されることを防止している。
【０００３】
特開２００３−４５１１０号に開示された構成では、ディスクを真正面から挿入しないと左右いずれかに偏ってしまい易く、ディスクが僅かでも左右いずれかに偏っていると挿入が禁止されてしまうので、操作性が悪いという問題があった。
しかも、ディスク挿入時に一方のピンを極端に外方へ向けて押してしまうと、一方のアームがディスク挿入方向に移動することなく回動して両係合部が離れ、ディスクが極端に偏った状態でその挿入が許容されてしまうという重大な誤動作を起こしてしまうおそれもあった。
【先行技術文献】
【特許文献】
【０００４】
【特許文献１】特開２００３−４５１１０
【発明の概要】
【発明が解決しようとする課題】
【０００５】
そこで、本発明の目的は、ディスクが偏った状態で挿入されたとしてもディスクの挿入を受入れながらその偏りを修正することができる、操作性の良いディスク再生機のディスク案内装置を提供することにある。
【課題を解決するための手段】
【０００６】
本発明に係るディスク再生機のディスク案内装置は、シャーシ上に左右一対の検知レバーを装着し、各検知レバーの回動端部に設けたディスク当接部をディスク挿入口に位置させ、かつ、両ディスク当接部を付勢手段により互いに接近する方向へ付勢し、両ディスク当接部が挿入するディスクに押されて離反するとき少なくとも一方の検知レバーの回動によりディスクの挿入を検知するようにしたものにおいて、左右一対の連動部材を同期回動自在に連結して前記シャーシ上に装着し、対応する検知レバーと連動部材とを、一方に設けた長溝と、他方に設けた突起との嵌合により連結し、各長溝の一側面の途中にストッパ部を設け、一方の検知レバーのディスク当接部が反付勢方向へ回動すると一方の突起が長溝の一側面に摺接してストッパ部に当接することにより一方の検知レバーの回動を禁止し、この状態で他方の検知レバーが反付勢方向へ回動すると、これに伴う一方の連動レバーの回動により一方の突起をストッパ部から外して、一方の検知レバーの回動禁止を解除するものとする。
【０００７】
また、前記両ディスク当接部が反付勢方向へ均等に押されたときは、片側の突起のみ、対応するストッパ部に当接するものとし、この当接状態において反対側の検知レバーがそのディスク当接部をディスクに押されて反付勢方向へ回動することにより、両連動部材が回動して前記突起とストッパ部との当接を解除するようにするとよい。
【０００８】
両ディスク当接部が反付勢方向へ均等に押されたとき、片側の突起のみ、対応するストッパ部に当接させるための具体策として、対応する検知レバーと連動部材との回動支点間距離、並びに検知レバーの回動支点と突起との間の距離を左右同一とし、かつ、連動部材の回動支点とストッパ部との間の距離を左右で異ならせるようにするとよい。
【発明の効果】
【０００９】
本発明のディスク案内装置によれば、ディスクを一方に偏った状態で挿入すると、ディスク当接部を押された方の検知レバーがその回動を禁止されるため、ディスクはその偏りを自動的に修正されながら他方の検知レバーのディスク当接部を押すようになる。その結果、一方の検知レバーの回動禁止が解除され、ディスクはその偏りを修正されながら所定の再生位置まで挿入されることになる。従って、ディスク挿入時の操作性が改善され、ディスクが極端に偏った状態で挿入されても誤動作を生じるおそれはない。
【００１０】
また、両ディスク当接部が反付勢方向へ均等に押されたとき、両方の突起ともにストッパ部に当接しないか、当接したとしても片側の突起のみストッパ部に当接するようにすると、片側の突起がストッパに当接してその対応する側の検知レバーの回動が禁止されたとしても、直ちに他方の検知レバーのディスク当接部がディスクに押されてその回動禁止が解除されることになる。仮に、両側の突起が対応するストッパ部に同時に当接するようなことがあると、両側の検知レバーが回動を禁止されてディスクの挿入又は排出ができない事態となるが、上記の如く構成することにより、このような事態は確実に回避できる。
【００１１】
連動部材の回動支点とストッパ部との間の距離を左右で異ならせると、簡単な構成で、両側の突起が同時にストッパ部に当接することを確実に回避できる。
【図面の簡単な説明】
【００１２】
【図１】本発明の実施の形態を示す車載用ディスク再生機の外観斜視図
【図２】ディスク案内装置の要部を示す平面図
【図３】ディスク案内装置の動作状態を示す平面図
【図４】ディスク案内装置の動作状態を示す平面図
【図５】ディスク案内装置の動作状態を示す平面図
【図６】ディスク案内装置の動作状態を示す平面図
【図７】ディスク案内装置におけるディスク排出時のディスクの動きを説明する説明図
【図８】ディスク案内装置の動作状態を示す平面図
【図９】本発明の他の実施の形態を示す要部平面図
【発明を実施するための形態】
【００１３】
以下、本発明を実施するための最良の形態を、図面を参照して説明する。なお、左右ほぼ対称をなす部位の符号は、左方に「Ｌ」、右方に「Ｒ」を付したものとする。
図１は本発明に係るディスク案内装置１を備えた車載用ディスク再生機２の外観斜視図である。ディスク再生機２の正面には、ディスクを挿脱するディスク挿入口３が設けられている。ディスク再生機２は、金属板よりなる箱型の固定シャーシ４内に、情報再生用のピックアップ等を装備したフローティングシャーシ５がフローティング状態に装着されている。なお、図中６は情報が記録されたディスクである。固定シャーシ４の天板上面には合成樹脂よりなる左右一対のディスク検知レバー７Ｌ，７Ｒが回動自在に装着されている。両検知レバー７Ｌ，７Ｒ間には、左右に長い一対の合成樹脂製連動部材８Ｌ，８Ｒが回動自在に装着されている。各連動部材８Ｌ，８Ｒはその各内方端側に互いに噛合する歯部９Ｌ，９Ｒを有し、互いに同期回動するようになっている。なお、図示のように、左方の歯部９Ｌを１歯欠き、右方の歯部９Ｒに幅広の歯を設けたのは、歯部９Ｌ，９Ｒ同士の組立作業が効率よく行えるようにするためである。
【００１４】
図２に示すように、各連動部材８Ｌ，８Ｒは内方端近傍に支点軸１０Ｌ，１０Ｒを有し、略中央から外方端近傍にかけて長溝１１Ｌ，１１Ｒが設けられ、この長溝１１Ｌ，１１Ｒのディスク挿入口３側の一側面１２Ｌ，１２Ｒ途中には斜面１３Ｌ，１３Ｒ及びストッパ部１４Ｌ，１４Ｒを有する凹部１５Ｌ，１５Ｒが設けられ、長溝１１Ｌ，１１Ｒの他側面１６Ｌ，１６Ｒは全長に亘って連続面となっている。斜面１３Ｌ，１３Ｒは長溝１１Ｌ，１１Ｒの一側面１２Ｌ，１２Ｒに対し外方端方向へ略４５度の角度をもって形成され、ストッパ部１４Ｌ，１４Ｒは斜面１３Ｌ，１３Ｒの終端位置に該一側面１２Ｌ，１２Ｒに対し略直交して形成されている。なお、一側面１２Ｌ，１２Ｒとストッパ部１４Ｌ，１４Ｒとの交差する角部１７Ｌ，１７Ｒには、面取りが施されている。連動部材８Ｌ，８Ｒの回動支点（支点軸１０Ｌ，１０Ｒの中心）とストッパ部１４Ｌ，１４Ｒとの間の距離ｄ１，ｄ２は、左方の距離ｄ１を右方の距離ｄ２よりも短く設定している。
【００１５】
各連動部材８Ｌ，８Ｒの奥側の側面には、その回動端に近い部位に凸部１８Ｌ，１８Ｒが設けられている。前記左右の検知レバー７Ｌ，７Ｒは奥側端部近傍に小円形孔を有し、各小円形孔を、固定シャーシ４の天板上面に突設された軸１９Ｌ，１９Ｒに回動自在に嵌合させている。検知レバー７Ｌ，７Ｒの回動端はディスク挿入口３へ向けて延び、各回動端にディスク挿入口３を塞ぐように下方へ垂下するディスク当接部２０Ｌ，２０Ｒが設けられている。また、左右の検知レバー７Ｌ，７Ｒには、各回動支点（軸１９Ｌ，１９Ｒの中心）近傍から内方へ延出する内方延出部２１Ｌ，２１Ｒが設けられ、各内方延出部２１Ｌ，２１Ｒを同一側の連動部材８Ｌ，８Ｒの長溝１１Ｌ，１１Ｒ下方に位置させている。そして各内方延出部２１Ｌ，２１Ｒの上面に突設した断面円形の突起２２Ｌ，２２Ｒを各連動部材８Ｌ，８Ｒの長溝１１Ｌ，１１Ｒに、下方より嵌合させている。なお、対応する検知レバー７Ｌ，７Ｒと連動部材８Ｌ，８Ｒとの回動支点間距離、並びに検知レバー７Ｌ，７Ｒの回動支点と突起２２Ｌ，２２Ｒとの間の距離は、左右同一としている。そして、ディスク６の非挿入時にあっては、各突起２２Ｌ，２２Ｒが凹部１５Ｌ，１５Ｒよりも連動部材８Ｌ，８Ｒの支点軸１０Ｌ，１０Ｒ寄りに位置するようにしている。
【００１６】
前記固定シャーシ４の天板上面には、左右一対のばね掛けフック２３Ｌ，２３Ｒが設けられ、各検知レバー７Ｌ，７Ｒにもばね掛けフック２４Ｌ，２４Ｒが設けられて、対応するばね掛けフック間に引張ばね２５Ｌ，２５Ｒを掛渡し、両検知レバー７Ｌ，７Ｒを、互いのディスク当接部２０Ｌ，２０Ｒの間隔を狭める方向に回動付勢するようにしている。
また、固定シャーシ４の天板上面には、左右の連動部材８Ｌ，８Ｒの凸部１８Ｌ，１８Ｒ近傍に切起し片２６Ｌ，２６Ｒが設けられ、ディスク非挿入時においては前記引張ばね２５Ｌ，２５Ｒにより各凸部１８Ｌ，１８Ｒを同一側の切起し片２６Ｌ，２６Ｒに当接させ、左右のディスク当接部２０Ｌ，２０Ｒを最接近位置に保持するようにしている。このとき各検知レバー７Ｌ，７Ｒの突起２２Ｌ，２２Ｒは、各連動部材８Ｌ，８Ｒの長溝１１Ｌ，１１Ｒの内方端近傍に位置している。
【００１７】
前記左右の連動部材８Ｌ，８Ｒには、各ディスク当接部２０Ｌ，２０Ｒに近い部位に、図１に示すように弾性片２７Ｌ，２７Ｒ（図２以降では弾性片２７Ｌ，２７Ｒを省略する。）が一体形成され、各ディスク当接部２０Ｌ，２０Ｒの側面には、図２に示すように縦長な長方形状をなす補強部２８Ｌ，２８Ｒが設けられ、各補強部２８Ｌ，２８Ｒを固定シャーシ４の天板下面側に位置させている。そして、これら弾性片２７Ｌ，２７Ｒの弾性力で天板の上面を押圧することによって、補強部２８Ｌ，２８Ｒが天板の下面側を押圧するようになる。すなわち、弾性片２７Ｌ，２７Ｒと補強部２８Ｌ，２８Ｒとで天板を上下から挟みこみ、検知レバー７Ｌ，７Ｒの上下振動を防止するようにしている。弾性片２７Ｌ，２７Ｒと補強部２８Ｌ，２８Ｒとで挟まれる天板の縁部２９Ｌ，２９Ｒ（図１参照）は、各検知レバー７Ｌ，７Ｒの回動支点である軸１９Ｌ，１９Ｒの中心を曲率の中心とする円弧状に形成されている。
そして弾性片２７Ｌ，２７Ｒと補強部２８Ｌ，２８Ｒとで挟まれる天板の縁部２９Ｌ，２９Ｒ（図１参照）は、各検知レバー７Ｌ，７Ｒの回動支点である軸１９Ｌ，１９Ｒの中心を曲率の中心とする円弧状に形成されている。
【００１８】
また、図１に示すように前記固定シャーシ４の底板には左右一対の保護片３０Ｌ，３０Ｒが設けられ、これらの保護片３０Ｌ，３０Ｒをディスク挿入口３の前方に位置させている。各保護片３０Ｌ，３０Ｒは上方より見てＬ字形をなし、ディスク非挿入時においては同一側のディスク当接部２０Ｌ，２０Ｒの下端部分の内側及び奥側に接近させている。
【００１９】
以上の構成によれば、図１に示すようにディスク挿入口３よりディスク６を挿入すると、左右の検知レバー７Ｌ，７Ｒがそのディスク当接部２０Ｌ，２０Ｒをディスク６に押されて回動する。そして、いずれか一方（例えば左方）の検知レバー７Ｌの回動により図示しないディスク検知手段がディスク６の挿入を検知して搬送機構を起動させ、該搬送機構により、その後のディスク６の搬送を行う。そしてディスク６の中心が左右のディスク当接部２０Ｌ，２０Ｒ間を過ぎると、左右のディスク検知レバー７Ｌ，７Ｒは引張りばね２５Ｌ，２５Ｒにより回動復帰し、ディスク６は、搬送機構により所定のディスク再生位置まで搬送される。
【００２０】
ところで、通常、ディスク６を挿入する際、左右いずれかに偏って挿入してしまうことが多い。例えば、ディスク６を右方へ偏った状態で挿入すると、図２に示すように右方の検知レバー７Ｒがそのディスク当接部２０Ｒをディスク６に押されて（矢印ａ）反付勢方向（反時計方向）へ回動する（矢印ｂ）。このとき、右方の検知レバー７Ｒの突起２２Ｒが右方の連動部材８Ｒの長溝１１Ｒの一側面１２Ｒと摺接して右方の連動部材８Ｒを時計方向へ回動させ（矢印ｃ）、これと同期して左方の連動部材８Ｌを反時計方向へ回動させる（矢印ｄ）。左方の連動部材８Ｌが反時計方向へ回動すると、その長溝１１Ｌの他側面１６Ｌで左方の検知レバー７Ｌの突起２２Ｌを押し、左方の検知レバー７Ｌを時計方向へ回動させる（矢印ｅ）。要するに、右方の検知レバー７Ｒが反時計方向へ回動すると、これと同期して左方の検知レバー７Ｌが時計方向へ同期回動することになる。
【００２１】
このとき、右方の検知レバー７Ｒの回動に伴い、その突起２２Ｒが右方の連動部材８Ｒの一側面１２Ｒから斜面１３Ｒを経由して図３の如くストッパ部１４Ｒに当接すると、右方の検知レバー７Ｒの回動が禁止される。したがって、ディスク６を更に挿入しようとすると、右方の検知レバー７Ｒは反時計方向への回動を禁止されているので、ディスク６は当然の如く左方へ寄せられることとなり、図３における仮想線位置から実線位置へとその偏りを修正されながら、左方のディスク当接部２０Ｌを押すようになる（矢印ｆ）。これによって、図４の如く左方の検知レバー７Ｌは時計方向へ回動し（矢印ｇ）、今度は、左方の検知レバー７Ｌの突起２２Ｌが左方の連動部材８Ｌの長溝１１Ｌの一側面１２Ｌを押して（矢印ｈ）該連動部材８Ｌを反時計方向へ回動させ（矢印ｉ）、右方の連動部材８Ｒがこれと同期して、図４における仮想線位置から実線位置へと時計方向へ回動することになる（矢印ｊ）。
【００２２】
その結果、右方の検知レバー７Ｒの突起２２Ｒが右方の連動部材８Ｒのストッパ部１４Ｒから外れ、右方の検知レバー７Ｒの回動禁止が解除されるので、ディスク６は偏りが修正された状態で、搬送機構により、所定の再生位置まで搬送される。なお、一側面１２Ｒとストッパ部１４Ｒとの交差する角部１７Ｒに面取りが施されているので、ストッパ部１４Ｒから外れた突起２２Ｒは、この角部１７Ｒを容易に通過して一側面１２Ｒへ移動することができる。
以上、ディスクを右方へ偏った状態で挿入した場合について述べたが、左方へ偏った状態で挿入した場合についても、左右を逆にした状態で同様となる。
【００２３】
なお、ディスク６を左右に偏りなく正しく挿入した場合、左右の検知レバー７Ｌ，７Ｒが各ディスク当接部２０Ｌ，２０Ｒをディスク６によって同時に均等に押されることになる。このとき左右の突起２２Ｌ，２２Ｒが、仮に、対応するストッパ部１４Ｌ，１４Ｒに同時に当接することになると、それ以上ディスク６を挿入できなくなるが、本実施の形態では、連動部材８Ｌ，８Ｒの回動支点（支点軸１０Ｌ，１０Ｒの中心）とストッパ部１４Ｌ，１４Ｒとの間の距離ｄ１，ｄ２を左右で異ならせ、左方が右方よりも短く（ｄ１＜ｄ２）設定されているので、突起がストッパ部に当接するとしても、それは必ず左方の突起２２Ｌが左方のストッパ部１４Ｌに当接することとなる。そしてその当接は、右方のディスク当接部２０Ｒがディスク６に押されることにより直ちに解消され、ディスク６を円滑に挿入することができる。
【００２４】
ディスク６を再生位置から排出するときも、同様のことが言える。ディスク排出時の状況については、図５ないし図８を参照して説明する。
すなわち、ディスク６がディスク再生位置にある状態でディスク排出操作を行なうと、ディスク６は図示しない搬送機構により、装置内からディスク挿入口３へ向けて搬送される。そして、図５の如く左右の検知レバー７Ｌ，７Ｒがそのディスク当接部２０Ｌ，２０Ｒを内側からディスク６によって均等に押されて（矢印Ｋ，Ｋ）仮想線位置から実線位置へ回動することになる。このとき、仮に左右の連動部材８Ｌ，８Ｒのストッパ部１４Ｌ，１４Ｒがそれぞれの回動支点から等距離の位置に形成されていたとすると、左右の突起２２Ｌ，２２Ｒが同時に同一側のストッパ部１４Ｌ，１４Ｒに当接し、ディスク６の排出が阻止されてしまうことになるが、本実施の形態ではｄ１＜ｄ２となっているので、突起がストッパ部に当接するとしても、それは図６に示すように必ず左方の突起２２Ｌが左方のストッパ部１４Ｌに当接することとなり、その当接は、図７に示すように、右方のディスク当接部２０Ｒが排出方向（矢印ｍ）へ搬送されるディスク６に押されることにより（矢印ｎ）、図８の如く右方の検知レバー７Ｒが時計方向へ回動し（矢印Ｐ）、右方の突起２２Ｒが長溝１１Ｒの一側面１２Ｒを押して（矢印ｒ）連動部材８Ｒ，８Ｌを順次回動させ（矢印ｓ，ｔ）突起２２Ｌがストッパ部１４Ｌから外れて直ちに解消される。したがって、常に円滑にディスク６を排出することができる。
【００２５】
また、固定シャーシ４の底板に保護片３０Ｌ，３０Ｒを設けたことにより、次のような効果が得られる。例えばいたずら操作等により、右方のディスク当接部２０Ｒの右方から、又は左方のディスク当接部２０Ｌの左方から異物（例えばクレジットカードのような物など）をこじ入れようとした場合、保護片３０Ｌ，３０Ｒ（図１参照）がない場合はディスク当接部２０Ｌ，２０Ｒが折損したり異物が無理やり差し込まれてしまうおそれがあるが、保護片３０Ｌ，３０Ｒがあると、ディスク当接部２０Ｌ，２０Ｒが背後から保護片３０Ｌ，３０Ｒによって補強されるので折損を免れることができ、異物の差し込みも防止できるのである。しかも、ディスク当接部２０Ｌ，２０Ｒ自体、縦長な長方形状をなす補強部２８Ｌ，２８Ｒによって強化されている。
【００２６】
以上の実施の形態では、検知レバー７Ｌ，７Ｒに突起２２Ｌ，２２Ｒ、連動部材８Ｌ，８Ｒに長溝１１Ｌ，１１Ｒを設けるものとしたが、図９に示すように、突起と長溝との関係を逆にしてもよい。
すなわち図９に示す実施の形態は、左右の検知レバーの内方延出部４２Ｌ，４２Ｒに長溝４３Ｌ，４３Ｒを設け、左右の連動部材４４Ｌ，４４Ｒの回動端部に突起４５Ｌ，４５Ｒを設けて、各突起４５Ｌ，４５Ｒを、対応する長溝４３Ｌ，４３Ｒに嵌合させた例である。前記実施の形態と同様に、各長溝４３Ｌ，４３Ｒの一側面４６Ｌ，４６Ｒ途中には斜面４７Ｌ，４７Ｒ及びストッパ部４８Ｌ，４８Ｒを有する凹部４９Ｌ，４９Ｒを設け、各長溝４５Ｌ，４５Ｒの他側面５０Ｌ，５０Ｒは全長に亘って連続面とする。
斜面４７Ｌ，４７Ｒは、長溝４５Ｌ，４５Ｒの一側面４６Ｌ，４６Ｒに対し、内方延出部４２Ｌ，４２Ｒの外方端方向へ略４５度の角度をもって形成され、ストッパ部４８Ｌ，４８Ｒは斜面４７Ｌ，４７Ｒの終端位置に該一側面４６Ｌ，４６Ｒに対し略直交して形成される。そして一側面４６Ｌ，４６Ｒとストッパ部４８Ｌ，４８Ｒとの交差する角部５１Ｌ，５１Ｒには、面取りを施こす。
左右の凹部４９Ｌ，４９Ｒは各長溝４５Ｌ，４５Ｒの中央より左方寄りに設けられ、連動部材４４Ｌ，４４Ｒの回動支点（支点軸５２Ｌ，５２Ｒの中心）とストッパ部４８Ｌ，４８Ｒとの間の距離ｄ１，ｄ２を左右で異ならせ、左方を右方よりも短く（ｄ１＜ｄ２）する。そしてディスクの非挿入時にあっては、各突起４５Ｌ，４５Ｒが凹部４９Ｌ，４９Ｒよりも検知レバーの軸から離反する位置に位置するようにする。
【００２７】
このような構成であっても、前記実施の形態と同様の効果が得られる。
すなわち、ディスクが例えば右方に偏って挿入されると右方の突起４５Ｒが長溝４３Ｒの一側面４６Ｒから斜面４７Ｒを通過して図１０中に仮想線で示す如くストッパ部４８Ｒに当接し、右方の検知レバーがその回動を禁止されるが、ディスクがその偏りを修正しながら左方の検知レバーを回動させると、突起４４Rがストッパ部４８Ｒから外れ、検知レバーの回動禁止を解除するようになるのである。ディスクが左方に偏って挿入された場合も同様である。また、ｄ１＜ｄ２の関係により、両側の突起４５Ｌ，４５Ｒがストッパ部４８Ｌ，４８Ｒに同時に当接することはなく、当接するとしても、そのときは必ず左方の突起４５Ｌのみが当接するようにして（勿論、右方の突起４５Rのみが当接する設計にしてもよい。）ディスクの挿入又は排出が円滑に行える点も、前記実施の形態と同様である。
【００２８】
また、前記二つの実施の形態では左右の連動部材を互いの歯部同士の噛合により同期回動するようにしたが、両連動部材の連結は必ずしも噛合によるものでなくとも、要は、同期回動自在な連結であればよい。
更に、前記二つの実施の形態では連動部材の回動支点とストッパ部との間の距離を左右で異ならせることにより、両側の突起が同時にストッパ部に当接することがないようにしたが、連動部材の回動支点とストッパ部との間の距離は左右同一とし、突起の位置を左右で異ならせても、同様の効果を得ることができる。
【符号の説明】
【００２９】
３              ディスク挿入口
４              固定シャーシ
６              ディスク
７Ｌ，７Ｒ      検知レバー
８Ｌ，８Ｒ      連動部材
１０Ｌ，１０Ｒ  支点軸
１１Ｌ，１１Ｒ  長溝
１２Ｌ，１２Ｒ  一側面
１４Ｌ，１４Ｒ  ストッパ部
１９Ｌ，１９Ｒ  軸
２０Ｌ，２０Ｒ  ディスク当接部
２２Ｌ，２２Ｒ  突起
２５Ｌ，２５Ｒ  引張りばね
【図１】
2010176723.tif 000003
【図２】
2010176723.tif 000004
【図３】
2010176723.tif 000005
【図４】
2010176723.tif 000006
【図５】
2010176723.tif 000007
【図６】
2010176723.tif 000008
【図７】
2010176723.tif 000009
【図８】
2010176723.tif 000010
【図９】
2010176723.tif 000011